(57)【特許請求の範囲】
【請求項１】
圧縮機の脚片と台座との間に配置される下側弾性部材と、前記脚片の上部に配置される上側弾性部材とを有し、これら各弾性部材を介して、前記台座にボルトで弾性支持された圧縮機を備える冷凍機ユニットを、輸送する際に前記圧縮機を前記台座に固定する圧縮機固定部材であって、
前記脚片と前記ボルトとの間に嵌挿される上側固定部と、前記脚片と前記台座との間に嵌挿される下側固定部と、これら上側固定部及び下側固定部を連結する連結部とを一体に備え、前記上側固定部は、前記連結部の上縁部に連なり前記圧縮機側に折り曲げられる上面部と、この上面部の側部をそれぞれ下方に折り曲げて形成される一対の側面部とを備え、前記上面部には、前記連結部と反対側の縁部に向けて切り欠かれたガイド孔が形成され、前記下側固定部は、前記連結部の側縁下部に連なり前記圧縮機側にそれぞれ折り曲げられる一対の側面部を備えたことを特徴とする圧縮機固定部材。
【請求項２】
前記下側固定部から前記台座上に延出し、この台座にねじ固定される舌片を備えたことを特徴とする請求項１に記載の圧縮機固定部材。
【請求項３】
前記上側固定部、前記下側固定部及び前記連結部は、１枚の鋼板材を折り曲げて形成されることを特徴とする請求項１または２に記載の圧縮機固定部材。
【請求項４】
前記上側固定部の高さ寸法は、前記下側固定部の高さ寸法よりも低く設定されたことを特徴とする請求項１乃至３のいずれかに記載の圧縮機固定部材。
【請求項５】
前記上側固定部の長さ寸法は、前記下側固定部の長さ寸法よりも短く設定されたことを特徴とする請求項１乃至４のいずれかに記載の圧縮機固定部材。
【請求項６】
前記上側固定部に形成されて前記ボルトが挿入されるガイド孔の中心線と前記舌片に形成され、ねじが固定される貫通孔の中心線とが略一致していることを特徴とする請求項２乃至５のいずれかに記載の圧縮機固定部材。
【発明の詳細な説明】
【技術分野】
【０００１】
本発明は、冷凍機ユニットを輸送する際に圧縮機の振動を防止する技術に関する。
【背景技術】
【０００２】
一般に、台座の上に支持された圧縮機を備える冷凍機ユニットが知られている。この種の冷凍機ユニットでは、圧縮機の下部周辺に設けられた複数の脚片と台座との間に配設された下側弾性部材と、当該脚片の上部に配設された上側弾性部材とを備え、これら各弾性部材を介して、脚片を台座に固定することにより、当該圧縮機は台座に弾性支持されている（例えば、特許文献１参照）。これにより、圧縮機から発生する振動の台座への伝達を抑制し、この台座の共振による騒音の発生を抑制している。
【特許文献１】特開２００６−３１６７１６号公報
【発明の開示】
【発明が解決しようとする課題】
【０００３】
ところで、この種の冷凍機ユニットを輸送する場合には、各弾性部材による圧縮機の揺動を抑えて冷媒配管の変形等を防止するために、圧縮機を台座に固定することを要する。しかしながら、圧縮機の固定は、冷凍機ユニットの輸送時に必要となるものであり、当該冷凍機ユニットを据え付けた後には不要となる。このため、簡素な構成で着脱を容易に行うことができる圧縮機の固定部材が要望されている。
【０００４】
本発明は、上述した事情に鑑みてなされたものであり、簡素な構造で、着脱を容易に行うことができる圧縮機固定部材を提供することを目的とする。
【課題を解決するための手段】
【０００５】
上述した課題を解決するため、本発明は、圧縮機の脚片と台座との間に配置される下側弾性部材と、前記脚片の上部に配置される上側弾性部材とを有し、これら各弾性部材を介して、前記台座にボルトで支持された圧縮機を備える冷凍機ユニットを、輸送する際に前記圧縮機を前記台座に固定する圧縮機固定部材であって、前記脚片と前記ボルトとの間に嵌挿される上側固定部と、前記脚片と前記台座との間に嵌挿される下側固定部と、これら上側固定部及び下側固定部を連結する連結部とを一体に備え、前記上側固定部は、前記連結部の上縁部に連なり前記圧縮機側に折り曲げられる上面部と、この上面部の側部をそれぞれ下方に折り曲げて形成される一対の側面部とを備え、前記上面部には、前記連結部と反対側の縁部に向けて切り欠かれたガイド孔が形成され、前記下側固定部は、前記連結部の側縁下部に連なり前記圧縮機側にそれぞれ折り曲げられる一対の側面部を備えたことを特徴とする。
この構成によれば、圧縮機固定部材は、脚片とボルトとの間に嵌挿される上側固定部と、脚片と台座との間に嵌挿される下側固定部と、これら上側固定部及び下側固定部を連結する連結部とを一体に備えて形成したため、圧縮機固定部材を簡素な構造で形成できるとともに、脚片に対して、上側固定部及び下側固定部を同時に着脱することができ、着脱作業を容易に行うことができる。さらに、上側固定部及び下側固定部は連結部により一体に連結されているため、圧縮機の上下動によって上側固定部及び下側固定部の取付位置のずれの発生が防止され、圧縮機を確実に台座に固定することができる。
【０００６】
この構成において、前記下側固定部から前記台座上に延出し、この台座にねじ固定される舌片を備えた構成としても良い。この構成によれば、圧縮機固定部材を台座に確実に固定できるため、この圧縮機固定部材の取付数を削減することができ、当該圧縮機固定部材の着脱作業を更に容易にすることができる。
【０００７】
また、前記上側固定部、前記下側固定部及び前記連結部は、１枚の鋼板材を折り曲げて形成される構成としても良い。この構成によれば、圧縮機固定部材を簡単に形成することができ、当該圧縮機固定部材に要するコストの低減を図ることができる。
【０００８】
また、前記上側固定部の高さ寸法は、前記下側固定部の高さ寸法よりも低く設定された構成としても良い。また、前記上側固定部の長さ寸法は、前記下側固定部の長さ寸法よりも短く設定された構成としても良い。また、前記上側固定部に形成されて前記ボルトが挿入されるガイド孔の中心線と、前記舌片に形成され、ねじが固定される貫通孔の中心線とが略一致している構成としても良い。これらの構成によれば、圧縮機固定部材の着脱をスムーズに行うことができる。
【発明の効果】
【０００９】
本発明によれば、圧縮機固定部材は、脚片とボルトとの間に嵌挿される上側固定部と、脚片と台座との間に嵌挿される下側固定部と、これら上側固定部及び下側固定部を連結する連結部とを一体に備えて形成したため、圧縮機固定部材を簡素な構造で形成できるとともに、脚片に対して、上側固定部及び下側固定部を同時に着脱することができ、着脱作業を容易に行うことができる。さらに、上側固定部及び下側固定部は連結部により一体に連結されているため、圧縮機の上下動によって上側固定部及び下側固定部の取付位置のずれの発生が防止され、圧縮機を確実に台座に固定することができる。
【発明を実施するための最良の形態】
【００１０】
以下、図面を参照して本発明の好適な実施の形態について説明する。
図１Ａは、本実施形態に係る冷凍機ユニット１を示す正面図であり、図１Ｂは、冷凍機ユニット１を示す左側面図である。
冷凍機ユニット１は、図示は省略するが、この冷凍機ユニット１の外部に配置される蒸発器等と配管接続されて冷凍サイクルを構成するユニットである。
冷凍機ユニット１は、図１Ａ，Ｂに示すように、底枠１０の四隅にコ字形状に形成された支柱枠１１を取り付け、この支柱枠１１の上端部分同士を長手方向に支持枠１２で連結して形成される架台１３を備える。この架台１３の上面には、所定位置に支持枠１２、１２間を連結する台座１４が設けられ、これら台座１４上に圧縮機２０及び冷凍機ユニット１を制御する制御装置を収納する電装箱２１が支持されている。
【００１１】
圧縮機２０は、半密閉式の圧縮機であり、吐出側冷媒配管２２Ａと吸込み側冷媒配管２２Ｂが接続された圧縮機本体２０Ａと、この圧縮機本体２０Ａを台座１４（架台１３）に固定するための脚片２０Ｂとを備え、この脚片２０Ｂには、台座１４と略平行な上下の平面部２０Ｂ１、２０Ｂ２が形成されている。
本構成では、圧縮機２０の発振振動が直接架台１３に伝達しないように、圧縮機２０は台座１４に弾性支持されている。具体的には、圧縮機２０の脚片２０Ｂの下平面部２０Ｂ１と台座１４との間には、下側防振ゴム（下側弾性部材）２３Ａが配置され、脚片２０Ｂの上平面部２０Ｂ２上には上側防振ゴム（上側弾性部材）２３Ｂが配置されている。上側防振ゴム２３Ｂは、下側防振ゴム２３Ａよりも小径に形成されている。
これら上側防振ゴム２３Ｂ及び下側防振ゴム２３Ａは、脚片２０Ｂとともにボルト２４が貫通し、このボルト２４及びナット２５（図３参照）により台座１４に固定されている。これにより、圧縮機２０は、上側防振ゴム２３Ｂ及び下側防振ゴム２３Ａを介して、台座１４に弾性支持されるため、圧縮機２０から発生する振動の台座１４への伝達を抑制し、この台座１４の共振による異常振動や異常騒音の発生を抑制できる。
また、底枠１０の上には、円筒形状のタンクとして形成された水冷凝縮器２６が横倒しに配置され、この水冷凝縮器２６は脚部２７を備え、この脚部２７を介して底枠１０に固定されている。
【００１２】
ところで、図１において、符号３０は、冷凍機ユニット１を輸送する際に使用されるパレット（梱包用木底）であり、冷凍機ユニット１はパレット３０にボルト等により固定されている。このため、冷凍機ユニット１は、例えば、パレット３０ごとフォークリフトでトラック等に積み込まれ、目的地に輸送されるとともに、この目的地においてフォークリフトによりトラック等から積み降ろされて所定の設置場所に運ばれる。
このため、圧縮機２０の脚片２０Ｂには、上側防振ゴム２３Ｂ及び下側防振ゴム２３Ａを介して、冷凍機ユニット１を輸送する際の振動が伝達するため、圧縮機２０が揺動し、この圧縮機２０から延びる吐出側冷媒配管２２Ａ及び吸込み側冷媒配管２２Ｂに荷重が働くことが想定される。このため、これら冷媒配管の変形等を防止するために、輸送時には、圧縮機２０を台座１４に固定する輸送金具（圧縮機固定部材）５０が取り付けられている。
この実施形態では、図１Ａに示すように、圧縮機２０の４つの脚片２０Ｂの内、正面手前側の２つの脚片２０Ｂに輸送金具５０をそれぞれ取り付け、圧縮機２０の揺動を防止している。
【００１３】
次に、この輸送金具５０について説明する。図２Ａは、輸送金具５０の上面図であり、図２Ｂは、輸送金具５０の正面図であり、図２Ｃは、輸送金具５０の右側面図である。また、図３は、輸送金具５０を脚片２０Ｂに取り付けた状態を示す図であり、図１のIII部分を拡大した部分拡大図である。
輸送金具５０は、鋼板等を折り曲げて形成されたものであり、脚片２０Ｂの上平面部２０Ｂ２とボルト２４との間に嵌挿されて上側防振ゴム２３Ｂを覆う上側固定部５１と、脚片２０Ｂの下平面部２０Ｂ１と台座１４との間に嵌挿されて下側防振ゴム２３Ａを覆う下側固定部５２と、これら上側固定部５１及び下側固定部５２を連結する連結部５３とを備えて一体に形成されている。
【００１４】
具体的には、連結部５３は、図２Ｂのように、下方が幅広の凸字形状に形成されており、上側固定部５１は、連結部５３の上縁部に連なり圧縮機２０側に折り曲げられる上面部５１Ａと、この上面部５１Ａの側部をそれぞれ下方に折り曲げて形成される左右一対の側面部５１Ｂ，５１Ｂとを備える。上面部５１Ａには、連結部５３と反対側の縁部から連結部５３に向けて切り欠かれ、ボルト２４のねじ部２４Ｂを案内するガイド孔５１Ｃが形成されている。
側面部５１Ｂの高さ（上面部５１Ａの裏面５１Ａ１から側面部５１Ｂの下縁部までの高さ；上側固定部５１の高さ寸法）Ｈ１は、上側防振ゴム２３Ｂを取り付けた際の当該上側防振ゴム２３Ｂの高さと同等もしくは若干高く設定されている。
また、下側固定部５２は、連結部５３の幅広の下側部に連なり圧縮機２０側にそれぞれ折り曲げられる左右一対の側面部５２Ａ，５２Ａを備える。この側面部５２Ａの高さ（下側固定部５２の高さ寸法）Ｈ２は、下側防振ゴム２３Ａを取り付けた際に、当該下側防振ゴム２３Ａの通常時の高さと同等もしくは若干高く設定されている。
これにより、輸送金具５０を脚片２０Ｂに取り付けた際に、上側固定部５１及び下側固定部５２が、それぞれ脚片２０Ｂの上平面部２０Ｂ２とボルト２４の頭部２４Ａとの間及び脚片２０Ｂの下平面部２０Ｂ１と台座１４との間に挿し込まれて脚片２０Ｂの高さ位置が規制される。
従って、この輸送金具５０により、圧縮機２０の上下動及び揺動が抑制されるため、この上下動及び揺動に伴って吐出側冷媒配管２２Ａ及び吸込み側冷媒配管２２Ｂに過剰な荷重が働くことが防止され、当該冷媒配管の変形が防止される。なお、上側固定部５１の高さＨ１は、下側固定部５２の高さＨ２よりも低く設定して形成されている。これによれば、輸送金具５０の全体形状は、上部が小さく、下部が大きいものとなり、この輸送金具５０自体の安定性が向上し、この輸送金具５０の取り付け及び取り外し作業が行い易くなる。
また、上側固定部５１は、図２Ｃに示すように、上面部５１Ａの長さ（上側固定部５１の長さ寸法）Ｌ１が、下側固定部５２の側面部５２Ａの長さ（下側固定部５２の長さ寸法）Ｌ２よりも短く設定されて形成されている。これによれば、輸送金具５０の取り付け、もしくは、取り外し時に、台座１４に対してスライドさせる下側固定部５２の大きさが大きくなり、この輸送金具５０の取り付け及び取り外し作業が行い易くなる。
また、輸送金具５０は、上側固定部５１、下側固定部５２及び連結部５３を１枚の鋼板材を折り曲げて形成しているため、輸送金具５０を簡素な構成とすることができ、当該輸送金具５０を簡単に形成することができるとともに、当該輸送金具５０に要するコストの低減を図ることができる。
【００１５】
また、輸送金具５０は、図２Ａに示すように、連結部５３の下縁部に連なり上記した上面部５１Ａと反対側に折り曲げられる舌片５４を備える。この舌片５４は、下側固定部５２の側面部５２Ａの下端と略同一の高さ位置に設けられ、輸送金具５０を脚片２０Ｂに取り付けた際に、当該舌片５４が台座１４に当接する。
この舌片５４には、貫通孔５４Ａが形成され、この貫通孔５４Ａを通じて輸送金具５０を台座１４にねじ５５で固定することができる。この構成によれば、輸送金具５０を台座１４に確実に固定できるため、この輸送金具５０の取付数を削減することができる。本実施形態では、図１Ａに示すように、冷凍機ユニット１の正面側に位置する圧縮機２０の２つの脚片２０Ｂに取り付けるだけで、この圧縮機２０を十分に台座１４に固定できる。このため、従来のように、冷凍機ユニットの背面側に回って固定具の着脱作業を要することなく、冷凍機ユニット１の正面側の広いスペースで、無理のない姿勢で目視確認しながら輸送金具５０を着脱できるため、当該着脱作業を容易に行うことができる。
また、図２Ａに示すように、舌片５４の貫通孔５４の中心線Ｓ１は、上側固定部５１の上面部５１Ａに形成されたガイド孔５１Ｃの中心線Ｓ２と略一致して形成されている。これによれば、上側固定部５１の取り付け、取り外し作業時における作業者の目線と、舌片５４を台座１４に固定する作業時の目線とが略一致するので、両作業をスムーズに連係して行うことができる。
【００１６】
また、輸送金具５０は、図２Ａに示すように、連結部５３と反対側、すなわち圧縮機２０に対向する側が開放されているため、冷凍機ユニット１に向かい合った状態で、この輸送金具５０を圧縮機２０の脚片２０Ｂに簡単に着脱できる。具体的には、輸送金具５０を取り付ける場合には、圧縮機２０の脚片２０Ｂのボルト２４及びナット２５と緩めた後に、輸送金具５０を図３中Ｘ１方向にスライドさせて、この輸送金具５０の上側固定部５１及び下側固定部５２をそれぞれ、脚片２０Ｂの上平面部２０Ｂ２とボルト２４との間、及び、脚片２０Ｂの下平面部２０Ｂ１と台座１４との間に嵌挿する。そして、このボルト２４及びナット２５を締めるとともに、舌片５４をねじ５５で固定する。このため、輸送金具５０を圧縮機２０の脚片２０Ｂに簡単に取り付けることができる。
一方、輸送金具５０と取り外す場合には、ねじ５５を外すとともに、ボルト２４及びナット２５を緩め、輸送金具５０を図３中Ｘ２方向にスライドさせて取り外す。これによれば、輸送金具５０の上側固定部５１及び下側固定部５２がそれぞれ脚片２０Ｂの上平面部２０Ｂ２とボルト２４との間、及び、脚片２０Ｂの下平面部２０Ｂ１と台座１４との間から離脱するため、この輸送金具５０を容易に取り外すことができる。
【００１７】
以上、説明したように、本実施形態によれば、輸送金具５０は、上側固定部５１と下側固定部５２と、これら上側固定部５１及び下側固定部５２を連結する連結部５３とを一体に備えて形成したため、輸送金具５０を簡素な構造で形成できるとともに、脚片２０Ｂに対して、上側固定部５１及び下側固定部５２を同時に着脱することができ、着脱作業を容易に行うことができる。さらに、上側固定部５１及び下側固定部５２は連結部５３により一体に連結されているため、圧縮機２０の上下動及び揺動によって上側固定部５１及び下側固定部５２の取付位置のずれの発生が防止され、圧縮機２０を確実に台座１４に固定することができる。
【００１８】
以上、本発明の一実施形態について説明したが、本発明はこれに限定されるものではなく、種々の変更実施が可能である。例えば、本実施形態では、輸送金具５０は、上側固定部５１、下側固定部５２及び連結部５３を１枚の鋼板材を折り曲げて形成しているが、これらが一体に形成されていれば、別個に作成した上側固定部及び下側固定部を連結部で連結する構成としても良い。
【図面の簡単な説明】
【００１９】
【図１】本実施形態に係る冷凍機ユニットを示す図であり、図１Ａは冷凍機ユニットの正面図、図１Ｂは冷凍機ユニットの左側面図である。
【図２】図２Ａは輸送金具の上面図、図２Ｂは輸送金具の正面図、図２Ｃは輸送金具の右側面図である。
【図３】図１の部分拡大図である。
【符号の説明】
【００２０】
１  冷凍機ユニット
１３  架台
１４  台座
２０  圧縮機
２０Ｂ  脚片
２０Ｂ１  下平面部
２０Ｂ２  上平面部
２３Ａ  下側防振ゴム（下側弾性部材）
２３Ｂ  上側防振ゴム（上側弾性部材）
２４  ボルト
２５  ナット
５０  輸送金具（圧縮機固定部材）
５１  上側固定部
５１Ａ  上面部
５１Ｂ  側面部
５１Ｃ  ガイド孔
５２  下側固定部
５２Ａ  側面部
５３  連結部
５４  舌片
【図１】
0005431058.tif 000002
【図２】
0005431058.tif 000003
【図３】
0005431058.tif 000004